(57)【要約】      （修正有）【課題】使用者に害を与えることなくかつ環境に悪影響を及ぼすことのない乾燥剤を提供する。【解決手段】ポリ乳酸材８０〜８５重量部と、多糖類、生物分解可能なポリマー、天然炭酸カルシウム、及び活性炭から成る吸水成分２０〜３０重量部とを含み、生物分解可能なポリマーがポリカプロラクトン、変質澱粉、ポリアクリル酸塩、及びリグニンであって、それらを加熱、溶融、混練、乾燥して均質な混合物を造粒して生物分解可能な顆粒を形成する。【選択図】なし【特許請求の範囲】
【請求項１】
生物分解可能な乾燥剤であって、
ポリ乳酸材８０〜８５重量部と、
多糖類、生物分解可能なポリマー、天然炭酸カルシウム、及び活性炭を含み、前記ポリ乳酸材に分散された吸水成分２０〜３０重量部と
を含む生物分解可能な乾燥剤。
【請求項２】
前記多糖類がシアノバクテリア（Ｃｙａｎｏｂａｃｔｅｒｉａ）から抽出されるアルドン酸を含有する多糖である請求項１に記載の生物分解可能な乾燥剤。
【請求項３】
前記生物分解可能なポリマーがポリカプロラクトン、変質澱粉、ポリアクリル酸塩、及びリグニンを含む請求項１に記載の生物分解可能な乾燥剤。
【請求項４】
前記活性炭が竹炭、備長炭、白炭、木炭、ヤシ殻炭及びいずれかの組み合わせのみからなる群のいずれかから選択される請求項１に記載の生物分解可能な乾燥剤。
【請求項５】
前記吸水成分が、
２〜４重量部のシアノバクテリア（Ｃｙａｎｏｂａｃｔｅｒｉａ）から抽出されるアルドン酸を含有する多糖と、
３〜５重量部のポリカプロラクトン、２〜３重量部のポリアクリル酸塩、１〜４重量部の変質澱粉、及び２〜４重量部のリグニンを含む９〜１５重量部の生物分解可能なポリマーと、
５〜６重量部の天然炭酸カルシウムと、
１〜２重量部の活性炭と
を含む請求項１に記載の生物分解可能な乾燥剤。
【請求項６】
ポリ乳酸材、リグニン、活性炭、変質澱粉、及び天然炭酸カルシウムを含む第１の混合材料を生物分解可能な乾燥剤のキャリアとして形成するステップと、
ポリアクリル酸塩、ポリカプロラクトン、及びシアノバクテリア（Ｃｙａｎｏｂａｃｔｅｒｉａ）から抽出されるアルドン酸含有の多糖を含む第２の混合材料と前記第１の混合材料を混練して、均質な混合物を形成するステップと、
前記均質な混合物を造粒して、生物分解可能な乾燥剤顆粒を形成するステップと
を含む生物分解可能な乾燥剤の製造方法。
【請求項７】
前記第１の混合材料を第１の供給口から単軸混練機に供給するステップと、
前記第１の混合材料を加熱、混練して、溶融した第１の混合材料を形成するステップと、
前記第２の混合材料を第２の供給口から前記単軸混練機に供給するステップと、
前記第２の混合材料と前記溶融した第１の混合材料とを混練して、前記均質な混合物を形成するステップと、
前記均質な混合物を造粒して生物分解可能な乾燥剤を形成するステップと
を含む請求項６に記載の生物分解可能な乾燥剤の製造方法。
【請求項８】
前記均質な混合物から湿気を除去するための排気ステップを更に含む請求項６に記載の生物分解可能な乾燥剤の製造方法。
【請求項９】
前記溶融した第１の混合材料を１８５〜１９５℃で形成し、前記単軸混練機の末段で前記均質な混合物の温度を１４０〜１６０℃に下げ、造粒して生物分解可能な乾燥剤顆粒を形成する請求項６に記載の生物分解可能な乾燥剤の製造方法。
【発明の詳細な説明】
【技術分野】
【０００１】
（関連出願）
本願は２００９年９月３日提出の台湾特許出願第９８１２９７３４号に基づく優先権を主張し、参照によりその内容を包含する。
本発明は、乾燥剤に関し、特に生物分解可能な乾燥剤に関する。
【背景技術】
【０００２】
多くの精密計器、薬品、化学品、食品、及び皮革類は、乾燥している環境で動作し、また乾燥している環境に保存する必要がある。また、湿った環境がかびの増殖を促進するので、置かれた皮革類や食品は腐敗し易くなる。また、湿気によって電子製品等の他の物品に損害を与えたり、化学品の分解や潮解を促進したりする。
【０００３】
前記のように、空気中の水分含量によって、人々の生活が大きく影響されるので、乾燥剤は前記製品にとって重要である。水分に分解や破壊されないように、通常、乾燥剤を用いて湿度に弱い製品の周りの余分な水分を吸収する。最もよく使用されている乾燥剤は、酸化カルシウムやシリカゲルが挙げられる。
【０００４】
しかしながら、酸化カルシウムとシリカゲルは使用者に害を与える恐れがあり、廃棄された後、環境に悪影響を与える。例えば、酸化カルシウムは通称生石灰で、誤食した場合に、口腔や食道をやけどしたり、誤って目に入った場合、結膜と角膜を損傷したりする。シリカゲルは、半透明の顆粒状で、乾燥剤として用いる時に、通常湿度指示材である塩化コバルト(II)を添加するが、塩化コバルト(II)は毒性があり、癌を引き起こす恐れがある。また、塩化コバルト(II)は、乾燥（脱水）する場合は、紺色であるが、吸水したら（吸水状態になったら）ピンク色になるため、よく子供に誤食される。
【発明の概要】
【発明が解決しようとする課題】
【０００５】
そこで、本発明は、生物分解可能な乾燥剤を提供する。
【課題を解決するための手段】
【０００６】
本発明に係る生物分解可能な乾燥剤は、少なくとも８０〜８５重量部のポリ乳酸材とポリ乳酸材に分散された２０〜３０重量部の吸水成分を含み、前記吸水成分は、多糖類、生物分解可能なポリマー、天然炭酸カルシウム、及び活性炭を含んでよい。
【０００７】
また、本発明は、生物分解可能な乾燥剤の製造方法を提供する。
本発明に係る生物分解可能な乾燥剤の製造方法は、第１の混合材料と第２の混合材料を混練して均質な混合物を形成するステップとを含む。前記均質な混合物において、第１の混合材料がキャリアとし、第２の混合材料に含まれる吸水性や多孔性を有する材料を配合する。
【０００８】
本発明の実施形態によれば、第１の混合材料は、ポリ乳酸材（Ｐｏｌｙｌａｃｔｉｄｅ  ｍａｔｒｉｘ）、リグニン粉末（Ｌｉｇｎｉｎ  Ｐｏｗｄｅｒ）、活性炭、変質澱粉（ｓｔａｒｃｈ−ａｃｒｙｌｉｃ  ａｃｉｄ  ｇｒａfｔ  ｃｏｐｏｌｙｍｅｒ）、及び天然炭酸カルシウムを含む。
本発明の実施形態によれば、第２の混合材料は、ポリアクリル酸塩（ｐｏｌｙ(ａｃｒｙｌｉｃ  ａｃｉｄ)  ｓａｌｔ）、ポリカプロラクトン（Ｐｏｌｙｃａｐｒｏｌａｃｔｏｎｅ；ＰＣＬ）、及びシアノバクテリア（Ｃｙａｎｏｂａｃｔｅｒｉａ）から抽出されるアルドン酸を含有する多糖を含んでよい。
【図面の簡単な説明】
【０００９】
【図１】本発明に係る生物分解可能な乾燥剤を製造するための装置を示す図。
【発明を実施するための形態】
【００１０】
本発明に係る生物分解可能な乾燥剤（顆粒）は、ポリ乳酸材、及びポリ乳酸材に分散された吸水成分（の粒子）を含み、実施形態によれば、生物分解可能な乾燥剤において、ポリ乳酸材の含量が８０〜８５重量部で、吸水成分の含量が２０〜３０重量部である。
【００１１】
ポリ乳酸は、植物の澱粉を転化、発酵、及び重合することによって形成される生物分解可能な材料である。ポリ乳酸は良好な剛性を有する。したがって、ポリ乳酸は生物分解可能な乾燥剤のキャリアとして用いることができる。
【００１２】
生物分解可能な乾燥剤における吸水成分は、多糖類、生物分解可能なポリマー、天然炭酸カルシウム、及び活性炭を含み、本実施形態において、ポリ乳酸材に分散された吸水成分は、２〜４重量部の多糖類、９〜１２重量部の生物分解可能なポリマー、５〜６重量部の天然炭酸カルシウム、及び１〜２重量部の活性炭を含んでよい。
【００１３】
シアノバクテリアから抽出されるアルドン酸を含有する多糖と生物分解可能なポリマーの親水基による毛管現象（ｃａｐｉｌｌａｒｙ  ｐｈｅｎｏｍｅｎｏｎ）によって、吸水成分の吸湿効果が達成される。生物分解可能な乾燥剤に親水基を提供できる成分として、例えば、アルドン酸を含有する多糖、ポリアクリル酸塩（ｐｏｌｙ(ａｃｒｙｌｉｃ  ａｃｉｄ)  ｓａｌｔ）、及びポリカプロラクトン（Ｐｏｌｙｃａｐｒｏｌａｃｔｏｎｅ；ＰＣＬ）が挙げられる。
ポリ乳酸は、剛性が強いため、生物分解可能な乾燥剤顆粒が脆くなり、砕けやすいが、生物分解可能な高分子を乾燥剤顆粒の剛性を弱くする改質剤として用いることができる。
【００１４】
本実施形態に用いられる多糖類は、シアノバクテリアから抽出されるアルドン酸を含有する多糖である。本実施形態の１つでは、添加量が２〜４重量部である。
【００１５】
前記によって開示された実施形態において、生物分解可能なポリマーは、リグニン粉末（繊維長さが約４０μｍ、バルク密度(Ｂｕｌｋ  Ｄｅｎｓｉｔｙ)が約２２０ｇ／Ｌ)、ポリカプロラクトン、変質澱粉（ｓｔａｒｃｈ−ａｃｒｙｌｉｃ  ａｃｉｄ  ｇｒａfｔ  ｃｏｐｏｌｙｍｅｒ）、及びポリアクリル酸塩を含んでよい。ポリアクリル酸塩は、例えば、ポリアクリル酸ナトリウム塩（ｐｏｌｙ(ａｃｒｙｌｉｃ  ａｃｉｄ)  ｓｏｄｉｕｍ  ｓａｌｔ)、ポリアクリル酸カリウム塩（ｐｏｌｙ(ａｃｒｙｌｉｃ  ａｃｉｄ)  ｐｏｔａｓｓｉｕｍ  ｓａｌｔ)、ポリアクリル酸アンモニウム塩（ｐｏｌｙ(ａｃｒｙｌｉｃ  ａｃｉｄ)  ａｍｍｏｎｉｕｍ  ｓａｌｔ)からなる群からいずれか、およびそれらの組み合わせを選ぶことができる。本実施形態において、生物分解可能なポリマーは２〜４重量部のリグニン粉末、３〜５重量部のポリカプロラクトン、２〜３重量部のポリアクリル酸塩、及び１〜４重量部の変質澱粉（ｓｔａｒｃｈ−ａｃｒｙｌｉｃ  ａｃｉｄ  ｇｒａfｔ  ｃｏｐｏｌｙｍｅｒ）を含んでよい。
【００１６】
生物分解可能な乾燥剤に含まれる天然炭酸カルシウム及び活性炭は多孔性なので、微量の湿気と匂いを吸収する。本実施形態において、天然炭酸カルシウムが貝殻（例えば、蛎の殻、帆立貝の殻等）から抽出されてもよい。本実施形態において、天然炭酸カルシウム粉末の添加量は５〜６重量部である。本実施形態において、活性炭が竹炭、備長炭、白炭、木炭、ヤシ殻炭等の炭粉末からなる群からいずれか又はそれらの混合物を抽出してよい。本実施形態において、天然炭酸カルシウム粉末の添加量は５〜６重量部で、活性炭粉末の添加量は１〜２重量部である。
【００１７】
必要に応じて、生物分解可能な乾燥剤における前記各成分の割合を調整して、生物分解可能な乾燥剤の吸湿能力を変更してもよい。本実施形態に係る生物分解可能な乾燥剤は、８０〜８５重量部のポリ乳酸材、４重量部のリグニン粉末、１重量部の竹炭粉末、２重量部の変質澱粉、６重量部の貝殻粉末、２重量部のポリアクリル酸ナトリウム塩、３〜５重量部のポリカプロラクトン、及び２重量部のスピルリナ（Ｓｐｉｒｕｌｉｎａ）から抽出されるアルドン酸を含有する多糖を含む。上記の生物分解可能な乾燥剤は４０ｗｔ％の吸湿率を有する。
【００１８】
また、前記成分によって製造された生物分解可能な乾燥剤は、吸湿効果が飽和になっても、加熱によって生物分解可能な乾燥剤を乾燥させることができる。したがって、生物分解可能な乾燥剤は重複して再利用できる。
【００１９】
本発明に係る生物分解可能な乾燥剤は下記のステップによって製造される。第１の混合材料と第２の混合材料を混練し均質な混合物を形成する。
【００２０】
この均質な混合物において、第２の混合材料に含まれる吸水性や多孔性を有する材料がキャリアとする第１の混合材料に配合される。均質な混合物を造粒して生物分解可能な乾燥剤を形成する。
【００２１】
図１は本発明に係る生物分解可能な乾燥剤を製造するための装置を示す図である。図に示すように、単軸混練機１００は、第１の混合段１１０、第２の混合段１２０、及び末段１３０に分けられる腔体（Ｃｈａｍｂｅｒ）を含み、スクリュー１５０が第１の混合段１１０から末段１３０に延伸するように腔体の中央に設けられ、また、第１の混合段１１０に設けられる第１の供給口１１２と、第２の混合段１２０に設けられる第２の供給口１２２と、末段１３０に設けられる排気装置１３２とを有する。
【００２２】
本実施形態において、第１の混合材料１４０は、生物分解可能な乾燥剤のキャリアとして、ポリ乳酸材と、リグニン粉末、竹炭、変質澱粉、及び貝殻粉末を混合して形成される。第１の混合材料１４０を第１の供給口１１２から単軸混練機１００に供給し、１８５〜１９５℃の温度で第１の混合材料１４０を混練して、溶融した第１の混合材料１４０を形成する。溶融した第１の混合材料を押し出し、第１の混合段１１０を通過させる。
【００２３】
成分間の親水基が溶融したポリ乳酸材に覆われないように、ポリアクリル酸塩、ポリカプロラクトン、及びアルドン酸を含有する多糖からなる第２の混合材料を別途に準備し添加する。第２の混合材料を第２の供給口１２２から単軸混練機１００に供給し、移動中の溶融した第１の混合材料１４０と混練し、均質な混合物を形成する。
【００２４】
使用し易くするために、この均質な混合物を造粒して、生物分解可能な乾燥剤顆粒を形成する。均質な混合物が供給されて末端１３０を通す時に、水でなく冷却空気で均質な混合物を冷却し造粒する。同時に、排気装置１３２によって空気中の湿気を除去する。
【００２５】
ポリ乳酸は、透湿性と通気性が良好である。したがって、吸水成分がポリ乳酸材に分散され、それらに覆われても、湿気がポリ乳酸材を透過し、吸水成分に吸収されることができる。
【００２６】
このため、従来の乾燥剤に比べて、生物分解可能な乾燥剤顆粒は、同じ吸湿効果を有する。更に、自然環境によって二酸化炭素と水に完全に分解されることができ、従来の乾燥剤に比べて、環境にやさしい製品になる。
【図１】
2011062690.tif 000002
【外国語明細書】
2011062690.tif 000003
2011062690.tif 000004
2011062690.tif 000005
2011062690.tif 000006
2011062690.tif 000007
2011062690.tif 000008
2011062690.tif 000009
2011062690.tif 000010
2011062690.tif 000011
2011062690.tif 000012
2011062690.tif 000013
2011062690.tif 000014